(57)【要約】【課題】磁気テープ装置において記録データ再生時に発生するスペーシングロスによる振幅変動のために起こるデータ検出誤りをなくすこと。【解決手段】記録媒体から記録された信号を読み出す再生ヘッドと、再生信号をデジタル信号に変換するアナログ／デジタル変換手段と、前記デジタル信号に含まれる振幅変動を補正する振幅補正手段とを備え、前記振幅補正手段は、アナログ／デジタル変換手段の出力信号のうち過去一定期間のサンプルから最大値を検出して信号レベルを求め、前記信号レベルと基準レベルの差分に応じて前記振幅補正手段の出力信号を増幅して前記振幅変動の補正を行う。【選択図】  図１
2004259315.tif 000002
【特許請求の範囲】
【請求項１】
記録媒体に記録された信号を読み出す再生ヘッドと、前記再生ヘッドの出力が入力されるＡＧＣ手段と、前記ＡＧＣ手段の出力を積分する積分手段と、前記積分手段の出力信号を所定のパーシャルレスポンス特性に等化するパーシャルレスポンス等化手段と、前記パーシャルレスポンス等化手段の出力をデジタル信号に変換するＡＤ変換手段と、前記ＡＤ変換手段の出力から再生クロックを抽出し前記ＡＤ変換手段に入力するクロック制御手段と、前記ＡＤ変換手段の出力信号の等化ずれを適応的に補正する等化手段と、前記等化手段の出力信号を所定の期間蓄え、前記蓄えられた出力信号の振幅の最大値を追従信号とし、前記追従信号と所定値との差分に応じて前記適応等化手段の出力信号の振幅を補正する振幅補正手段と、前記振幅補正手段の出力信号から二値信号の検出を行う検出手段とを備えたことを特徴とするデジタルデータ再生装置。
【請求項２】
前記振幅補正手段は、前記等化手段の出力信号から追従信号を生成する振幅追従手段と、前記追従信号と前記所定値との差分をゲイン値とするゲイン制御手段と、前記等化手段の出力信号を前記振幅追従手段と前記ゲイン制御手段との処理に要する時間分遅延させる遅延手段と、前記ゲイン値に応じて前記遅延手段の出力信号を増幅する信号増幅手段と、を備えたことを特徴とする請求項１に記載のデジタルデータ再生装置。
【請求項３】
前記振幅追従手段は、前記等化手段の出力信号の絶対値を出力する整流器と、前記整流器の出力に複数の遅延手段を直列に接続し、前記複数の遅延手段の出力信号の最大値を検出する最大値検出器とを備え、前記最大値を追従信号とする、ことを特徴とする請求項２に記載のデジタルデータ再生装置。
【請求項４】
前記ゲイン制御手段は、前記追従信号と前記所定値との差分を振幅誤差として検出する誤差検出器と、前記振幅誤差から前記ゲイン値を決定するゲイン調整器とで構成され、前記誤差検出器は前記追従信号が前記所定値よりも小さい場合に前記振幅誤差を前記ゲイン調整器に出力することを特徴とする請求項３に記載のデジタルデータ再生装置。
【請求項５】
前記振幅補正手段は、前記等化手段の出力信号の正側の振幅変動に追従した第一の追従信号と負側の振幅変動に追従した第二の追従信号を生成する両極振幅追従手段と、前記第一の追従信号および前記第二の追従信号と前記所定値との差分からゲインを決定する両極ゲイン制御手段と、前記等化手段の出力信号を前記両極振幅追従手段と前記両極ゲイン制御手段との処理に要する時間分遅延させる遅延手段と、前記遅延手段の出力信号を前記ゲインで増幅する信号増幅手段で構成される、ことを特徴とする請求項１に記載のデジタルデータ再生装置。
【請求項６】
前記両極振幅追従手段は、前記等化手段の出力信号の振幅が正の場合に、その絶対値を出力する第一の整流器と、前記第一の整流器に直列に接続された複数の遅延手段と、前記遅延手段の出力の正の最大値を検出する第一の最大値検出器と、前記等化手段の出力信号の振幅が負の場合に、その絶対値を出力する第二の整流器と、前記第二の整流器に直列に接続された複数の遅延手段と、前記遅延手段の出力の負の最大値を検出する第二の最大値検出器で構成され、前記正の最大値を第一の追従信号とし、前記負の最大値を第二の追従信号とする、ことを特徴とする請求項５に記載のデジタルデータ再生装置。
【請求項７】
前記両極ゲイン制御手段は、前記第一の追従信号と前記第二の追従信号を前記等化手段の出力信号の出力タイミングに同期して選択し両極追従信号とする選択器と、前記両極追従信号と所定値との差分を振幅誤差として検出する誤差検出器と、前記振幅誤差からゲインを決定するゲイン調整器とから成り、前記誤差検出器は前記両極追従信号が前記所定値よりも小さい場合に前記振幅誤差を出力する、ことを特徴とする請求項６に記載のデジタルデータ再生装置。
【請求項８】
前記ゲイン制御手段は、前記振幅誤差と所定の誤差基準値とを比較し、前記振幅誤差が前記誤差基準値よりも大きい時は、信号増幅を行わない、ことを特徴とする請求項４に記載のデジタルデータ再生装置。
【請求項９】
前記両極ゲイン制御手段は、前記振幅誤差と所定の誤差基準値とを比較し、前記振幅誤差が前記誤差基準値よりも大きい時は、信号増幅を行わない、ことを特徴とする請求項７に記載のデジタルデータ再生装置。
【請求項１０】
前記振幅補正手段は、前記振幅追従手段の出力からドロップアウトを検出するドロップアウト検出手段と、前記遅延手段の出力と前記信号増幅手段の出力とが入力され、そのどちらか一方を選択して出力する選択手段とから成り、前記ドロップアウトが検出された場合には前記遅延手段の出力を選択し、ドロップアウトが検出されない場合には前記信号増幅手段の出力を選択するように前記ドロップアウト検出器が前記選択手段を制御する、ことを特徴とする請求項４に記載のデジタルデータ再生装置。
【請求項１１】
前記ドロップアウト検出手段は前記追従信号が連続してドロップアウト基準レベルよりも小さい状態が一定期間以上続いた場合に前記ドロップアウトの発生を判定する、ことを特徴とする請求項１０に記載のデジタルデータ再生装置。
【請求項１２】
前記振幅補正手段は、前記両極ゲイン制御手段が出力する前記両極追従信号からドロップアウトを検出するドロップアウト検出手段と、前記遅延手段の出力信号と前記信号増幅手段の出力とが入力され、そのどちらか一方を選択して出力する選択手段とから成り、
前記ドロップアウトが検出された場合には前記遅延手段の出力を選択し、ドロップアウトが検出されない場合には前記信号増幅手段の出力を選択するように前記ドロップアウト検出器が前記選択手段を制御する、ことを特徴とする請求項７に記載のデジタルデータ再生装置。
【請求項１３】
前記ドロップアウト検出手段は前記両極追従信号が連続してドロップアウト基準レベルよりも小さい状態が一定期間以上続いた場合に前記ドロップアウトの発生を判定する、ことを特徴とする請求項１２に記載のデジタルデータ再生装置。
【発明の詳細な説明】
【０００１】
【発明の属する技術分野】
本発明は、記録再生装置、特に磁気テープ装置に適用し、記録データの再生を行うデジタルデータ再生装置（国際特許分類Ｇ１１Ｂ２０／１０）に関するものである。
【０００２】
【従来の技術】
従来の磁気テープ装置では、図１６に示すようなパーシャルレスポンス方式を用いたデジタルデータ再生装置がある。図１６において、再生ヘッド１６１が読み出した信号はＡＧＣ（Ａｕｔｏ  Ｇａｉｎ  Ｃｏｎｔｒｏｌ）１６２で振幅調整が行われ、積分器１６３とＬＰＦ（Ｌｏｗ  Ｐａｓｓ  Ｆｉｌｔｅｒ）１６４でＰＲ１（Ｐａｒｔｉａｌ  Ｒｅｓｐｏｎｓｅ  Ｃｌａｓｓ１）特性に等化される。ＰＲ１に等化された再生信号はＡＤＣ（Ａｎａｌｏｇ  Ｄｉｇｉｔａｌ  Ｃｏｎｖｅｒｔｅｒ）１６５とクロック制御回路１６６によって同期サンプリングが行われ、再生信号に同期したデジタル信号に変換される。ＡＤＣ１６５が出力するデジタル信号は適応等化回路１６７で適応等化された後、ＰＲ１特性に特化した検出器１６８によってビタビアルゴリズムを用いて２値信号の検出が行われる。
【０００３】
ドロップアウトなどによって再生信号に振幅変動が生じた場合には、ＡＧＣ１６２で振幅変動に追従して補正を行うが、振幅を検出する区間を記録符号のラン長とパーシャルレスポンス方式の組み合わせによって決まる振幅がゼロとなる長さよりもわずかに長い区間とし、検出区間の振幅の最大値をホールドするピークホールド方式で振幅振幅変動に対する追従を行っている。例えばＤＤＳ（Ｄｉｇｉｔａｌ  Ｄａｔａ  Ｓｔｏｒａｇｅ）装置で用いられている改良された８−１０記録符号とＰＲ１方式を組み合わせた場合、振幅がゼロとなる長さは再生クロックにおいて１４クロックの長さとなるため、１５クロック以上に設定されている。（例えば特許文献１参照）
【０００４】
【特許文献１】
特開平８−２９７９２６号公報（第８頁、第１図）
【０００５】
【発明が解決しようとしている課題】
しかしながら従来の磁気テープ装置においては、媒体に記録されたデータを再生している途中で、媒体の表面粗さなどのためにヘッドと媒体の間に空間が生じてヘッドからの再生信号の出力が低下するスペーシングロスが生じる。スペーシングロスはドロップアウトに比べて高速な変動であり、従来のデジタルデータ再生装置におけるＡＧＣではスペーシングロスによる振幅変動を十分に補正することが出来ず、検出器の入力において図１７（Ａ）の※に示すように振幅低下が生じるため検出誤りが発生する。
【０００６】
本発明は上記の問題を解決するためになされたものであり、スペーシングロスによる振幅変動を補正して信号検出を行うデジタルデータ再生装置を提供することを目的とする。
【０００７】
【課題を解決するための手段】
前記従来の課題を解決するために、本願発明は、磁気テープから読み出した再生信号を振幅調整して波形等化を行った後、アナログ／デジタル変換を行い、その出力に対して適応等化を行った信号の振幅補正を行う振幅補正手段を備える。この振幅補正手段により、スペーシングロスによる振幅変動の補正が行われ、信号検出においてスペーシングロスに起因する検出誤りをなくすことが可能となる。
【０００８】
【発明の実施の形態】
請求項１に記載の発明は、記録媒体に記録された信号を読み出す再生ヘッドと、前記再生ヘッドの出力が入力されるＡＧＣ手段と、前記ＡＧＣ手段の出力を積分する積分手段と、前記積分手段の出力信号を所定のパーシャルレスポンス特性に等化するパーシャルレスポンス等化手段と、前記パーシャルレスポンス等化手段の出力をデジタル信号に変換するＡＤ変換手段と、前記ＡＤ変換手段の出力から再生クロックを抽出し前記ＡＤ変換手段に入力するクロック制御手段と、前記ＡＤ変換手段の出力信号の等化ずれを適応的に補正する等化手段と、前記等化手段の出力信号を所定の期間蓄え、前記蓄えられた出力信号の振幅の最大値を追従信号とし、前記追従信号と所定値との差分に応じて前記適応等化手段の出力信号の振幅を補正する振幅補正手段と、前記振幅補正手段の出力信号から二値信号の検出を行う検出手段とを備えたことを特徴とするデジタルデータ再生装置であり、スペーシングロスによる高速な振幅変動を補正するため、スペーシングロスに起因する検出誤りをなくすことが出来る。
【０００９】
請求項２に記載の発明は、前記振幅補正手段は、前記等化手段の出力信号から追従信号を生成する振幅追従手段と、前記追従信号と前記所定値との差分をゲイン値とするゲイン制御手段と、前記等化手段の出力信号を前記振幅追従手段と前記ゲイン制御手段との処理に要する時間分遅延させる遅延手段と、前記ゲイン値に応じて前記遅延手段の出力信号を増幅する信号増幅手段と、を備えたことを特徴とする請求項１に記載のデジタルデータ再生装置であり、スペーシングロスの発生場所をずれなく補正することが出来る。
【００１０】
請求項３に記載の発明は、前記振幅追従手段は、前記等化手段の出力信号の絶対値を出力する整流器と、前記整流器の出力に複数の遅延手段を直列に接続し、前記複数の遅延手段の出力信号の最大値を検出する最大値検出器とを備え、前記最大値を追従信号とする、ことを特徴とする請求項２に記載のデジタルデータ再生装置であり、スペーシングロスによる振幅変動を精度良く検出することが出来る。
【００１１】
請求項４に記載の発明は、前記ゲイン制御手段は、前記追従信号と前記所定値との差分を振幅誤差として検出する誤差検出器と、前記振幅誤差から前記ゲイン値を決定するゲイン調整器とで構成され、前記誤差検出器は前記追従信号が前記所定値よりも小さい場合に前記振幅誤差を前記ゲイン調整器に出力することを特徴とする請求項３に記載のデジタルデータ再生装置であり、スペーシングロスによる振幅低下のみを検出して補正することが出来る。
【００１２】
請求項５に記載の発明は、前記振幅補正手段は、前記等化手段の出力信号の正側の振幅変動に追従した第一の追従信号と負側の振幅変動に追従した第二の追従信号を生成する両極振幅追従手段と、前記第一の追従信号および前記第二の追従信号と前記所定値との差分からゲインを決定する両極ゲイン制御手段と、前記等化手段の出力信号を前記両極振幅追従手段と前記両極ゲイン制御手段との処理に要する時間分遅延させる遅延手段と、前記遅延手段の出力信号を前記ゲインで増幅する信号増幅手段で構成される、ことを特徴とする請求項１に記載のデジタルデータ再生装置であり、スペーシングロスによる振幅変動が正側と負側で変動割合が異なる場合でも正側と負側で別々に振幅変動を検出して補正することが出来る。
【００１３】
請求項６に記載の発明は、前記両極振幅追従手段は、前記等化手段の出力信号の振幅が正の場合に、その絶対値を出力する第一の整流器と、前記第一の整流器に直列に接続された複数の遅延手段と、前記遅延手段の出力の正の最大値を検出する第一の最大値検出器と、前記等化手段の出力信号の振幅が負の場合に、その絶対値を出力する第二の整流器と、前記第二の整流器に直列に接続された複数の遅延手段と、前記遅延手段の出力の負の最大値を検出する第二の最大値検出器で構成され、前記正の最大値を第一の追従信号とし、前記負の最大値を第二の追従信号とする、ことを特徴とする請求項５に記載のデジタルデータ再生装置であり、スペーシングロスによる振幅変動を正側と負側で別々に精度良く検出することが出来る。
【００１４】
請求項７に記載の発明は、前記両極ゲイン制御手段は、前記第一の追従信号と前記第二の追従信号を前記等化手段の出力信号の出力タイミングに同期して選択し両極追従信号とする選択器と、前記両極追従信号と所定値との差分を振幅誤差として検出する誤差検出器と、前記振幅誤差からゲインを決定するゲイン調整器とから成り、前記誤差検出器は前記両極追従信号が前記所定値よりも小さい場合に前記振幅誤差を出力する、ことを特徴とする請求項６に記載のデジタルデータ再生装置であり、スペーシングロスによる振幅低下のみを検出して補正することが出来る。
【００１５】
請求項８に記載の発明は、前記ゲイン制御手段は、前記振幅誤差と所定の誤差基準値とを比較し、前記振幅誤差が前記誤差基準値よりも大きい時は、信号増幅を行わない、ことを特徴とする請求項４に記載のデジタルデータ再生装置であり、信号増幅を行うべき振幅低下の範囲を調整することが出来る。
【００１６】
請求項９に記載の発明は、前記両極ゲイン制御手段は、前記振幅誤差と所定の誤差基準値とを比較し、前記振幅誤差が前記誤差基準値よりも大きい時は、信号増幅を行わない、ことを特徴とする請求項７に記載のデジタルデータ再生装置であり、信号増幅を行うべき振幅低下の範囲を調整することが出来る。
【００１７】
請求項１０に記載の発明は、前記振幅補正手段は、前記振幅追従手段の出力からドロップアウトを検出するドロップアウト検出手段と、前記遅延手段の出力と前記信号増幅手段の出力とが入力され、そのどちらか一方を選択して出力する選択手段とから成り、前記ドロップアウトが検出された場合には前記遅延手段の出力を選択し、ドロップアウトが検出されない場合には前記信号増幅手段の出力を選択するように前記ドロップアウト検出器が前記選択手段を制御する、ことを特徴とする請求項４に記載のデジタルデータ再生装置であり、再生モードに応じてドロップアウト発生時に振幅補正を行うかどうか選択することが出来る。
【００１８】
請求項１１に記載の発明は、前記ドロップアウト検出手段は前記追従信号が連続してドロップアウト基準レベルよりも小さい状態が一定期間以上続いた場合に前記ドロップアウトの発生を判定する、ことを特徴とする請求項１０に記載のデジタルデータ再生装置であり、ドロップアウトを精度良く検出することが出来る。
【００１９】
請求項１２に記載の発明は、前記振幅補正手段は、前記両極ゲイン制御手段が出力する前記両極追従信号からドロップアウトを検出するドロップアウト検出手段と、前記遅延手段の出力信号と前記信号増幅手段の出力とが入力され、そのどちらか一方を選択して出力する選択手段とから成り、前記ドロップアウトが検出された場合には前記遅延手段の出力を選択し、ドロップアウトが検出されない場合には前記信号増幅手段の出力を選択するように前記ドロップアウト検出器が前記選択手段を制御する、ことを特徴とする請求項７に記載のデジタルデータ再生装置であり、再生モードに応じてドロップアウト発生時に振幅補正を行うかどうか選択することが出来る。。
【００２０】
請求項１３に記載の発明は、前記ドロップアウト検出手段は前記両極追従信号が連続してドロップアウト基準レベルよりも小さい状態が一定期間以上続いた場合に前記ドロップアウトの発生を判定する、ことを特徴とする請求項１２に記載のデジタルデータ再生装置であり、ドロップアウトを精度良く検出することが出来る。
【００２１】
（実施の形態１）
以下に、本発明の請求項１から請求項４に対応する発明の実施の形態１について、図１から図５と図１７を参照して説明する。図１は、本実施の形態１によるデジタルデータ再生装置の構成を示すブロック図である。
【００２２】
図１において、本実施の形態１によるデジタルデータ再生装置は、再生ヘッド１と、ＡＧＣ（Ａｕｔｏ  Ｇａｉｎ  Ｃｏｎｔｒｏｌ）２と、積分器３とＬＰＦ（Ｌｏｗ  Ｐａｓｓ  Ｆｉｌｔｅｒ）４と、ＡＤＣ（Ａｎａｌｏｇ  Ｄｉｇｉｔａｌ  Ｃｏｎｖｅｒｔｅｒ）５と、クロック制御回路６と、適応等化回路７と、振幅補正回路８と、検出器９とを備えたものである。  再生ヘッド１は記録媒体（図示しない）に記録された信号を読み出し、アナログ再生信号をＡＧＣ２に出力する。
【００２３】
ＡＧＣ２はアナログ再生信号の振幅調整を行い、積分器３に出力する。積分器３は入力信号を積分し、ＬＰＦ４に出力する。ＬＰＦ４は例えば等リプルフィルタで構成される低域遮断フィルタであり、積分器３が出力する信号をＰＲ１（Ｐａｒｔｉａｌ  Ｒｅｓｐｏｎｓｅ  ｃｌａｓｓ１）特性に等化し、ＡＤＣ５に出力する。ＡＤＣ５はクロック制御回路６が出力するサンプリングクロックによってＬＰＦ４の出力信号のサンプリングを行ってデジタル信号に変換し、クロック制御回路６と適応等化回路７に出力する。
【００２４】
クロック制御回路６はＡＤＣ５の出力するデジタル信号をもとにタイミングリカバリを行い、ＡＤＣ５のサンプリングクロック及びデジタル回路の動作クロックとなるチャネルクロックを出力する。適応等化回路７は入力信号に対して適応的に等化を行うものであり、ＦＩＲフィルタとそのタップ係数をＬＭＳ（Ｌｅａｓｔ  Ｍｅａｎ  Ｓｑｕａｒｅｄ）アルゴリズムを用いて制御する係数制御回路（いずれも図示しない）で構成される。パーシャルレスポンス特性によって決定される分布レベルに対する入力信号の分布のずれ分を検出し、等化ずれを補正する。振幅補正回路８はＡＧＣ２あるいは適応等化回路７で補正出来ない振幅変動をデジタル信号から検出し、補正を行った信号を検出器９に出力する。検出器９は最尤復号方式の一つであるビタビアルゴリズムを用いて入力信号から２値データの検出を行う。
【００２５】
ここで、振幅補正回路８の構成について図２を用いて詳細に説明する。
【００２６】
振幅補正回路８は振幅追従ブロック２１とＧａｉｎ制御ブロック２２と遅延ブロック２３と信号増幅ブロック２４とで構成される。
【００２７】
振幅追従ブロック２１は図３に示すように、信号を整流する整流器３１と入力信号をチャネルクロックの１クロック分遅延させるＮ個（Ｎ＝１，２，…）の遅延器３２と入力信号の最大値を検出して出力する最大値検出器３３で構成され、入力信号のＮ個のデジタル信号から振幅絶対値の最大値を検出して追従信号を生成する。例えば、Ｎ＝３とした場合には振幅追従ブロック２１の入力信号の過去４クロック分のデジタル信号から最大値検出が行われる。
【００２８】
Ｇａｉｎ制御ブロック２２は図４に示すように、誤差検出器４１とゲイン調整器４２からなり、誤差検出器４１は基準レベルと追従信号から式１に示すように差分を求め振幅誤差として出力する。
【００２９】
【式１】
2004259315.tif 000003
【００３０】
この時基準レベルはパーシャルレスポンス特性によって決定される分布レベルを設定し、ＰＲ１特性の場合には正規化した分布レベルは”１”、”０”、”−１”であるから基準レベルを”１”に設定する。本振幅補正回路８は入力信号の振幅の絶対値がパーシャルレスポンス特性の基準レベルよりも小さい信号に対してのみに振幅の補正を行う。即ち、振幅補正回路８は振幅低下を補正する回路である。ゲイン調整器４２は図５に示す特性によって振幅誤差に応じたゲインを求め、信号増幅ブロック２４に出力する。遅延ブロック２３は振幅追従ブロック２１とＧａｉｎ制御ブロック２２の遅延時間だけ入力信号を遅延させて出力する。信号増幅ブロック２４は乗算器で構成され、遅延ブロック２３の出力する信号にＧａｉｎ制御ブロック２２が出力するゲインを乗算して出力する。
【００３１】
次に、振幅補正回路８の動作について図１７を用いて具体的に説明する。
図１７（Ａ）は振幅補正回路８の入力信号を示しており、図中の※に局所的な振幅低下が存在する。図１７の縦軸は正規化された振幅を表し、横軸はチャネルクロックでサンプルされた時刻を表す。この振幅低下は高域の周波数帯域に分布する変動であるため、ＡＧＣ２あるいは適応等化回路７では補正することが出来ない。この入力信号は整流器３１において整流が行われ、その出力は図１７（Ｂ）に示すようになる。次に遅延器３２と最大値検出器３３によって最大値検出が行われ、図１７（Ｃ）に示す追従信号が生成される。図１７（Ｃ）から（Ｄ）は振幅追従ブロック２１における遅延器３２の数をＮ＝３とした場合の例である。図１７（Ｄ）は誤差検出器４１の出力信号で、追従信号とパーシャルレスポンス特性による基準レベルから式１によって求めた振幅誤差である。なお、図１７（Ｄ）の縦軸は正規化された振幅に対する振幅誤差を表す。このように、図１７（Ａ）における※の振幅変動に対して振幅検出が追従し、基準レベルに対する差分が誤差として抽出される。
【００３２】
以上のように構成されたデジタルデータ再生装置の動作について説明する。
【００３３】
再生ヘッド１が読み出したアナログ再生信号はまずＡＧＣ２によってＡＤＣ５の入力信号がレンジ内に設定された目標レベルとなるように振幅調整が行われた後、積分器３とＬＰＦ４によってＰＲ１特性に等化される。ＰＲ１特性に等化された再生信号はクロック制御回路６によって読み出しクロックにタイミングリカバリされたチャネルクロックをサンプリングクロックとするＡＤＣ５によって標本化され、デジタル再生信号に変換される。デジタル再生信号は適応等化回路７によって等化ずれが補正された後、振幅補正回路８で振幅低下の補正が行われる。等化ずれと振幅変動が補正されたデジタル信号から検出器９のビタビ検出によって２値データ列が検出され、再生データとして出力される。
【００３４】
以上のように、本実施の形態１によるデジタルデータ再生装置によれば、ＡＧＣや適応等化によっても補正出来ない振幅変動が存在する再生信号に対しても、振幅補正回路によってその振幅変動を補正し、データ再生エラーを防ぐことが可能となる。
【００３５】
（実施の形態２）
以下に、本発明の請求項５から請求項７に対応する発明の実施の形態２について図６から図９を参照して説明する。図６は、本実施の形態２による振幅補正回路の構成を示すブロック図である。
【００３６】
図６において本実施の形態２による振幅補正回路は、振幅追従ブロック６１とＧａｉｎ制御ブロック６２と遅延ブロック６３と信号増幅ブロック６４とを備えたものである。
【００３７】
振幅追従ブロック６１は、入力信号の正側と負側で独立して振幅検出を行い、正側の追従信号と負側の追従信号をＧａｉｎ制御ブロック６２に出力する。ここで、振幅追従ブロック６１について図７を用いて詳細に説明する。整流器７１は入力信号が負の場合には”０”を出力し、正の場合にはそのまま出力する。整流器７２は入力信号が正の場合には”０”を出力し、負の場合にはその絶対値を出力する。遅延器７３は入力信号をチャネルクロックの１クロック分遅延させて出力する。最大値検出器７４と最大値検出器７５は入力信号の中から最大値を検出して出力する。このような構成によって、振幅追従ブロック６１の入力信号に対して最大値検出器７４からは正側の振幅情報が正側の追従信号として、最大値検出器７５からは負側の振幅情報が負側の追従信号としてそれぞれ出力される。
【００３８】
Ｇａｉｎ制御ブロック６２は、図８に示すようにセレクタ８１と誤差検出器８２とゲイン調整器８３で構成される。セレクタ８１は信号増幅ブロック６４における乗算にタイミングを合わせ、信号増幅ブロック６４の入力信号が正の時には正側の追従信号から求めたゲインを用い、信号増幅ブロック６４の入力信号が負の時には負側の追従信号から求めたゲインを用いるように、正側の追従信号か負側の追従信号のどちらかを選択して両極の追従信号として誤差検出器８２に出力する。誤差検出器８２とゲイン調整器８３はそれぞれ前記実施の形態１における誤差検出器４１とゲイン調整器４２と同じ構成のため、説明を省略する。
【００３９】
遅延ブロック６３は振幅追従ブロック６１とＧａｉｎ制御ブロック６２の遅延時間だけ入力信号を遅延させて出力する。信号増幅ブロック６４は前記実施の形態１における信号増幅ブロック２４と同じ構成のため、説明を省略する。
【００４０】
以上のように構成された振幅補正回路の動作について、図９を用いて具体的に説明する。
【００４１】
図９（Ａ）は振幅補正回路への入力信号を表しており、図中の※※に局所的な振幅低下が存在する。図９の縦軸は正規化された振幅を表し、横軸はチャネルクロックでサンプルされた時刻を表す。この振幅低下は高域の周波数帯域に分布する変動であるため、ＡＧＣ２あるいは適応等化回路７では補正することが出来ない。この信号が本実施の形態における振幅補正回路に入力された場合、振幅追従ブロック６１内で整流器７１においては正側の振幅情報が抽出され、図９（Ｂ）に示すようになる。また、整流器７２においては負側の振幅情報が抽出され、図９（Ｃ）に示すようになる。次に、遅延器７３と最大値検出器７４及び最大値検出器７５によって最大値検出が行われ、最大値検出器７４からは図９（Ｄ）に示す正側の追従信号が生成され、最大値検出器７５からは図９（Ｅ）に示す負側の追従信号が生成される。図９（Ｄ）から図９（Ｇ）は振幅追従ブロック２１における遅延器３２の数をＮ＝３とした場合の例である。振幅追従ブロック６１から出力された正側の追従信号と負側の追従信号は、Ｇａｉｎ制御ブロック６２においてまずセレクタ８１によってどちらかがセレクトされ、両極の追従信号として出力される。このセレクトは信号増幅ブロック６４での乗算における入力信号のタイミングに合わせて行われ、図９（Ｆ）に示すようになる。その後誤差検出器８２において式１の関係を用いて誤差検出が行われて図９（Ｇ）に示す振幅誤差が求められる。なお、図９（Ｇ）の縦軸は正規化された振幅に対する振幅誤差を表す。
【００４２】
以上のように、本実施の形態２による振幅補正回路によれば、ＡＧＣや適応等化によっても補正出来ない振幅変動が正側と負側で異なる場合にも、別々に振幅変動を検出してその変動を補正することが出来るので、データ再生エラーを防ぐことが可能となる。
【００４３】
（実施の形態３）
以下に、本発明の請求項８と請求項９に対応する発明の実施の形態３について、図１０と図１１を参照して説明する。図１０は、本実施の形態３によるゲイン調整器のゲイン特性を示す図である。
【００４４】
図１０において、横軸は誤差検出器で求められる振幅誤差であり、縦軸は振幅増幅ブロックにおいて遅延ブロックの出力信号に乗算されるゲイン値を表す。前記実施の形態１および前記実施の形態２において開示したゲイン調整器のゲイン特性と異なるところは、ゲイン調整器に入力される振幅誤差を誤差基準レベルと比較し、振幅誤差が誤差基準レベルよりも大きい場合にはゲイン調整器が出力するゲインを１倍にして振幅補正を行わないようにした点である。
【００４５】
例えば図１１（Ａ）に示す再生信号が前記実施の形態１における振幅補正回路に入力された場合に振幅誤差は図１１（Ｂ）となる。図１１（Ｂ）は振幅追従ブロックにおける遅延器の数ＮをＮ＝３とした場合の例を示す。記録符号の最短バターンの繰り返しが連続して図１１（Ａ）の※のようにＰＲ１特性の”１”、”０”、”−１”の３レベルの分布のうちで”０”レベルが連続した時には、”１”あるいは”−１”のレベルとみなして振幅誤差が検出される。このような振幅誤差に対して図１０に示すゲイン特性を用いれば振幅補正が行われる範囲は図１１（Ｂ）に示す部分であるから、図１１（Ａ）の※の部分は補正を行わない。
【００４６】
以上のように本実施の形態３によるゲイン調整器によれば、記録符号の最短パターンの繰り返しが連続した入力信号であっても、振幅補正を行う領域を適切に判定し、振幅変動を補正することが可能となる。
【００４７】
（実施の形態４）
以下に、本発明の請求項１０から請求項１３に対応する発明の実施の形態４について、図１２から図１５を参照して説明する。図１２は、本実施の形態４による振幅補正回路の構成を示すブロック図である。
【００４８】
図１２において本実施の形態４による振幅補正回路は、振幅追従ブロック２１とＧａｉｎ制御ブロック２２と遅延ブロック２３と信号増幅ブロック２４とドロップアウト検出ブロック１２１とセレクタ１２２とを備えたものである。振幅追従ブロック２１とＧａｉｎ制御ブロック２２と遅延ブロック２３と信号増幅ブロック２４については、前記実施の形態１と同じ構成であるので説明を省略する。ドロップアウト検出ブロック１２１は振幅追従ブロック２１が生成する追従信号から再生信号のドロップアウト検出を行い、結果をシステムコントローラ（図示しない）に伝えるとともにセレクタ１２２のセレクト信号を生成する。セレクタ１２２はドロップアウト検出ブロック１２１が出力するセレクト信号によって遅延ブロック２３の出力か信号増幅ブロック２４の出力どちらかをセレクトして出力する。
【００４９】
ここで、ドロップアウト検出ブロック１２１の構成について図１３を用いて詳細に説明する。
【００５０】
ドロップアウト検出ブロック１２１は比較器１３１とカウンタ１３２と判定器１３３で構成される。比較器１３１は振幅追従ブロックが生成する追従信号とドロップアウト基準レベルを比較し、結果をカウンタ１３２に出力する。カウンタ１３２は比較器１３１が出力する結果から、追従信号がドロップアウト基準レベルよりも連続して小さい場合にその連続するクロック数をカウントし、判定器１３３に出力する。判定器１３３はカウンタ１３２が出力するカウント値が一定数以上である場合には再生信号にドロップアウトが発生していると判定し、システムコントローラに伝える。そして、現在の再生信号がテープ装置におけるリードアフターライトモードにおいて読み出された信号であるならば、判定器１３３はセレクタ１２２が遅延ブロック２３の出力信号をセレクトするようにセレクタ１２２のセレクト信号を切り替える。現在の再生信号が通常の再生モードにおいて読み出された信号であるならば、判定器１３３はドロップアウト検出結果に関係なく、セレクタ１２２が信号増幅ブロック２４の出力信号をセレクトするようにセレクタ１２２のセレクト信号をコントロールする。
【００５１】
以上のように構成された振幅補正回路の動作について、図１４を用いて具体的に説明する。
【００５２】
図１４は読み出しにおいてドロップアウトが発生した場合の信号である。ドロップアウトが発生した場合に振幅補正回路の入力信号が図１４（Ａ）の時、振幅追従ブロック２１内で整流され図１４（Ｂ）に示す信号となり、振幅追従ブロック２１の追従信号は図１４（Ｃ）が生成され、ドロップアウト検出ブロック１２１に入力される。図１４（Ｃ）から（Ｄ）は振幅追従ブロック２１における遅延器３２の数をＮ＝３とした場合の例である。比較器１３１において追従信号と図１４（Ｃ）に示すドロップアウト基準レベルとを比較し、出力する。（図１４（Ｄ））カウンタ１３２は比較器１３１が出力する信号が”Ｈｉ”の場合にカウントアップし、”Ｌｏ”の場合にカウントをリセットする。判定器１３３はカウンタ１３２が出力するカウント値が一定値を超えるとドロップアウトが発生したと判定して、システムコントローラに伝えるとともに、リードアフターライトモードの場合にはセレクタ１２２が遅延ブロック２３の出力信号をセレクトするようにセレクト信号を切り替える。図１４（Ｄ）はリードアフターライトモード時の判定器１３３が出力するセレクト信号を示す。
【００５３】
なお、前記実施の形態２で開示した信号振幅の極性毎に補正を行う振幅補正回路の場合には、図１５に示す構成でもって本実施の形態４における振幅補正回路は実現される。
【００５４】
以上のように、本実施の形態４における振幅補正回路によれば、リードアフターライト時にはドロップアウトが発生した領域の再生信号に対して振幅補正を行わない。これにより、ドロップアウトが発生したにもかかわらず振幅補正によってドロップアウトに起因する再生エラーが少なくなり、システムコントローラがドロップアウト発生を検知しないということがなくなる。従って、リードアフターライト時には局所的な振幅変動を振幅補正回路によって補正しつつ、ドロップアウトの検知を正しく行ってリライトを確実に行うことが可能となる。
【００５５】
【発明の効果】
以上のように、本発明のデジタルデータ再生装置によれば、局所的な振幅変動に追従して補正を行った再生信号に対して２値データの検出を行うようにしたので、スペーシングロスによる高速な振幅低下が発生した場合でも正しくデータ再生を行うことが出来る。
【図面の簡単な説明】
【図１】本発明の実施の形態１によるデジタルデータ再生装置の構成を示すブロック図
【図２】振幅補正回路８の構成を示すブロック図
【図３】振幅追従ブロック２１の構成を示すブロック図
【図４】Ｇａｉｎ制御ブロック２２の構成を示すブロック図
【図５】本発明の実施の形態１によるゲイン調整器４２のゲイン特性を示す図
【図６】本発明の実施の形態２による振幅補正回路の構成を示すブロック図
【図７】振幅追従ブロック６１の構成を示すブロック図
【図８】Ｇａｉｎ制御ブロック６２の構成を示すブロック図
【図９】本発明の実施の形態２による振幅補正回路の入力信号及び内部信号を表す図
【図１０】本発明の実施の形態３によるゲイン調整器のゲイン特性を示す図
【図１１】振幅補正回路の入力信号例および振幅補正回路の振幅誤差を表す図
【図１２】本発明の実施の形態４による振幅補正回路の構成を示すブロック図
【図１３】ドロップアウト検出ブロック１２１の構成を示すブロック図
【図１４】本発明の実施の形態４による振幅補正回路の入力信号及び内部信号を表す図
【図１５】本発明の実施の形態４による振幅補正回路の他の構成を示すブロック図
【図１６】従来例のデジタルデータ再生装置の構成を示すブロック図
【図１７】従来例のデジタルデータ再生装置の検出器入力信号および本発明の実施の形態１による振幅補正回路の入力信号と内部信号を表す図
【符号の説明】
１  再生ヘッド
２  Ａｕｔｏ  Ｇａｉｎ  Ｃｏｎｔｒｏｌ
３  積分器
４  Ｌｏｗ  Ｐａｓｓ  Ｆｉｌｔｅｒ
５  Ａｎａｌｏｇ  Ｄｉｇｉｔａｌ  Ｃｏｎｖｅｒｔｅｒ
６  クロック制御回路
７  適応等化回路
８  振幅補正回路
９  検出器
２１  振幅追従ブロック
２２  Ｇａｉｎ制御ブロック
２３  遅延ブロック
２４  信号増幅ブロック
３１  整流器
３２  遅延器
３３  最大値検出器
４１  誤差検出器
４２  ゲイン調整器
６１  振幅追従ブロック
６２  Ｇａｉｎ制御ブロック
６３  遅延ブロック
６４  信号増幅ブロック
７１  整流器
７２  整流器
７３  遅延器
７４  最大値検出器
７５  最大値検出器
８１  セレクタ
８２  誤差検出器
８３  ゲイン調整器
１２１  ドロップアウト検出器
１２２  セレクタ
１３１  比較器
１３２  カウンタ
１３３  判定器
１６１  再生ヘッド
１６２  Ａｕｔｏ  Ｇａｉｎ  Ｃｏｎｔｒｏｌ
１６３  積分器
１６４  Ｌｏｗ  Ｐａｓｓ  Ｆｉｌｔｅｒ
１６５  Ａｎａｌｏｇ  Ｄｉｇｉｔａｌ  Ｃｏｎｖｅｒｔｅｒ
１６６  クロック制御回路
１６７  適応等化回路
１６８  検出器
【図１】
2004259315.tif 000004
【図２】
2004259315.tif 000005
【図３】
2004259315.tif 000006
【図４】
2004259315.tif 000007
【図５】
2004259315.tif 000008
【図６】
2004259315.tif 000009
【図７】
2004259315.tif 000010
【図８】
2004259315.tif 000011
【図９】
2004259315.tif 000012
【図１０】
2004259315.tif 000013
【図１１】
2004259315.tif 000014
【図１２】
2004259315.tif 000015
【図１３】
2004259315.tif 000016
【図１４】
2004259315.tif 000017
【図１５】
2004259315.tif 000018
【図１６】
2004259315.tif 000019
【図１７】
2004259315.tif 000020